【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
情報処理装置であって、
表示手段と、
前記情報処理装置にログインしているユーザによる起動の指示に基づき、当該ユーザ用のＳＳＩＤ（Ｓｅｒｖｉｃｅ  Ｓｅｔ  Ｉｄｅｎｔｉｆｉｅｒ）で外部から識別されるアクセスポイントを起動する起動手段と、
前記情報処理装置に現在ログインしているユーザが、前記起動の指示を行ったユーザと一致するか否かを判定する判定手段と、
前記情報処理装置に現在ログインしているユーザが前記起動の指示を行ったユーザと一致すると前記判定手段によって判定された場合には所定の画面に前記起動中のアクセスポイントのＳＳＩＤを表示するように前記表示手段を制御し、前記情報処理装置に現在ログインしているユーザが前記起動の指示を行ったユーザと一致しないと前記判定手段によって判定された場合には前記所定の画面に前記起動中のアクセスポイントのＳＳＩＤを表示しないように前記表示手段を制御する制御手段と、
を有することを特徴とする情報処理装置。
【請求項２】
前記アクセスポイントに使用するＳＳＩＤの種類を設定する第１の設定手段をさらに有し、
前記起動手段は、前記第１の設定手段により設定された、使用するＳＳＩＤの種類に基づき前記情報処理装置にログインしているユーザ用のＳＳＩＤで外部から識別されるアクセスポイントを起動するか、管理者により予め設定されたＳＳＩＤで外部から識別されるアクセスポイントを起動するかを異ならせ、
前記制御手段は、前記情報処理装置に現在ログインしているユーザが前記起動の指示を行ったユーザと一致しないと前記判定手段によって判定されても、前記第１の設定手段により、第１の種類のＳＳＩＤを使用することが設定されている場合には、前記所定の画面に前記ＳＳＩＤを表示するように前記表示手段を制御することを特徴とする請求項１記載の情報処理装置。
【請求項３】
前記第１の設定手段は、前記第１の種類のＳＳＩＤを使用するか、第２の種類のＳＳＩＤを使用するかを設定し、
前記第２の種類のＳＳＩＤは、ログイン中のユーザに対応するユーザ情報に基づき生成されるＳＳＩＤであり、
前記起動手段は、前記第１の設定手段により前記第２の種類のＳＳＩＤを使用することが設定されている場合に、前記ユーザ情報に基づき生成されたＳＳＩＤで外部から識別されるアクセスポイントを起動することを特徴とする請求項２記載の情報処理装置。
【請求項４】
前記第１の設定手段によって前記第１の種類のＳＳＩＤを使用することが設定されている場合に使用するＳＳＩＤをユーザ操作に基づき設定する第２の設定手段をさらに有し、
前記起動手段は、前記第１の設定手段により前記第１の種類のＳＳＩＤを使用することが設定されている場合に、前記第２の設定手段で設定されたＳＳＩＤで外部から識別されるアクセスポイントを起動することを特徴とする請求項２又は３記載の情報処理装置。
【請求項５】
前記制御手段は、前記ＳＳＩＤを前記所定の画面に表示させない場合に、他のユーザが前記アクセスポイントを利用していることを示すメッセージを前記所定の画面に表示するように前記表示手段を制御することを特徴とする請求項１乃至４の何れか１項に記載の情報処理装置。
【請求項６】
前記制御手段は、前記所定の画面に前記アクセスポイントを停止するボタンを表示するように前記表示手段を制御することを特徴とする請求項５記載の情報処理装置。
【請求項７】
前記情報処理装置は、印刷装置であることを特徴とする請求項１乃至６の何れか１項に記載の情報処理装置。
【請求項８】
表示手段を有する情報処理装置が実行する情報処理方法であって、
前記情報処理装置にログインしているユーザによる起動の指示に基づき、当該ユーザ用のＳＳＩＤで外部から識別されるアクセスポイントを起動する起動ステップと、
前記情報処理装置に現在ログインしているユーザが、前記起動の指示を行ったユーザと一致するか否かを判定する判定ステップと、
前記情報処理装置に現在ログインしているユーザが前記起動の指示を行ったユーザと一致すると判定された場合には所定の画面に前記起動中のアクセスポイントのＳＳＩＤを表示するように前記表示手段を制御し、前記情報処理装置に現在ログインしているユーザが前記起動の指示を行ったユーザと一致しないと判定された場合には前記所定の画面に前記起動中のアクセスポイントのＳＳＩＤを表示しないように前記表示手段を制御する制御ステップと、
を含むことを特徴とする情報処理方法。
【請求項９】
前記アクセスポイントに使用するＳＳＩＤの種類を設定する第１の設定ステップをさらに含み、
前記起動ステップでは、前記第１の設定ステップにて設定された、使用するＳＳＩＤの種類に基づき前記情報処理装置にログインしているユーザ用のＳＳＩＤで外部から識別されるアクセスポイントを起動するか、管理者により予め設定されたＳＳＩＤで外部から識別されるアクセスポイントを起動するかを異ならせ、
前記制御ステップでは、前記情報処理装置に現在ログインしているユーザが前記起動の指示を行ったユーザと一致しないと判定されても、前記第１の設定ステップにて、第１の種類のＳＳＩＤを使用することが設定されている場合には、前記所定の画面に前記ＳＳＩＤを表示するように前記表示手段を制御することを特徴とする請求項８記載の情報処理方法。
【請求項１０】
前記第１の設定ステップでは、前記第１の種類のＳＳＩＤを使用するか、第２の種類のＳＳＩＤを使用するかを設定し、
前記第２の種類のＳＳＩＤは、ログイン中のユーザに対応するユーザ情報に基づき生成されるＳＳＩＤであり、
前記起動ステップでは、前記第１の設定ステップにて前記第２の種類のＳＳＩＤを使用することが設定されている場合に、前記ユーザ情報に基づき生成されたＳＳＩＤで外部から識別されるアクセスポイントを起動することを特徴とする請求項９記載の情報処理方法。
【請求項１１】
前記第１の設定ステップにて前記第１の種類のＳＳＩＤを使用することが設定されている場合に使用するＳＳＩＤをユーザ操作に基づき設定する第２の設定ステップをさらに含み、
前記起動ステップでは、前記第１の設定ステップにて前記第１の種類のＳＳＩＤを使用することが設定されている場合に、前記第２の設定ステップにて設定されたＳＳＩＤで外部から識別されるアクセスポイントを起動することを特徴とする請求項９又は１０記載の情報処理方法。
【請求項１２】
前記制御ステップでは、前記ＳＳＩＤを前記所定の画面に表示させない場合に、他のユーザが前記アクセスポイントを利用していることを示すメッセージを前記所定の画面に表示するように前記表示手段を制御することを特徴とする請求項８乃至１１の何れか１項に記載の情報処理方法。
【請求項１３】
前記制御ステップでは、前記所定の画面に前記アクセスポイントを停止するボタンを表示するように前記表示手段を制御することを特徴とする請求項１２記載の情報処理方法。
【請求項１４】
表示手段を有する情報処理装置の制御方法をコンピュータに実行させるプログラムであって、
前記情報処理装置にログインしているユーザによる起動の指示に基づき、当該ユーザ用のＳＳＩＤで外部から識別されるアクセスポイントを起動する起動ステップと、
前記情報処理装置に現在ログインしているユーザが、前記起動の指示を行ったユーザと一致するか否かを判定する判定ステップと、
前記情報処理装置に現在ログインしているユーザが前記起動の指示を行ったユーザと一致すると判定された場合には所定の画面に前記起動中のアクセスポイントのＳＳＩＤを表示するように前記表示手段を制御し、前記情報処理装置に現在ログインしているユーザが前記起動の指示を行ったユーザと一致しないと判定された場合には前記所定の画面に前記起動中のアクセスポイントのＳＳＩＤを表示しないように前記表示手段を制御する制御ステップと、
をコンピュータに実行させるためのプログラム。
【手続補正２】
【補正対象書類名】明細書
【補正対象項目名】０００５
【補正方法】変更
【補正の内容】
【０００５】
本発明は、情報処理装置であって、表示手段と、前記情報処理装置にログインしているユーザによる起動の指示に基づき、当該ユーザ用のＳＳＩＤで外部から識別されるアクセスポイントを起動する起動手段と、前記情報処理装置に現在ログインしているユーザが、前記起動の指示を行ったユーザと一致するか否かを判定する判定手段と、前記情報処理装置に現在ログインしているユーザが前記起動の指示を行ったユーザと一致すると前記判定手段によって判定された場合には所定の画面に前記起動中のアクセスポイントのＳＳＩＤを表示するように前記表示手段を制御し、前記情報処理装置に現在ログインしているユーザが前記起動の指示を行ったユーザと一致しないと前記判定手段によって判定された場合には前記所定の画面に前記起動中のアクセスポイントのＳＳＩＤを表示しないように前記表示手段を制御する制御手段と、を有することを特徴とする。